(57)【要約】      （修正有）【課題】  他の船舶内で生じた含油廃水や海上に流出した含油廃水を移動して回収し、効率的な含油廃水処理を行うことのできる含油廃水処理船を提供する。【解決手段】  船舶２００で生じた含油廃水または海上に流出した含油廃水を回収し浄化処理する含油廃水処理船１００であって、船体１の上部及び内部に設けられた廃油処理機構１０を備え、前記廃油処理機構１０は、含油廃水を回収する回収手段２０と、含油廃水を収容する原水収容タンク１１と、含油廃水のうち、自然分離浮上した上層部の油分を捕集する油分捕集手段３６と、含油廃水のうち、下層部の含油廃水を取り出して油分を取り除き、浄化済廃水を精製する浄化手段と、精製された浄化済廃水を収容する浄化済廃水収容タンク１６と、前記油分捕集手段３６により捕集された油分と前記浄化手段により取り除かれた油分とを廃油として収容する廃油収容タンク１２とを有する。【選択図】  図３
2007084010.tif 000002
【特許請求の範囲】
【請求項１】
船舶で生じた含油廃水または海上に流出した含油廃水を回収し浄化処理する含油廃水処理船であって、
曳航または自走により航行可能に形成された船体と、前記船体の上部及び内部に設けられた廃油処理機構とを備え、
前記廃油処理機構は、
前記船舶または海上から前記含油廃水を回収する回収手段と、前記回収手段により回収された含油廃水を収容する原水収容タンクと、前記原水収容タンクに収容された含油廃水のうち、自然分離浮上した上層部の油分を捕集する油分捕集手段と、前記原水収容タンクに収容された含油廃水のうち、下層部の含油廃水を取り出して油分を取り除き、浄化済廃水を精製する浄化手段と、前記浄化手段により精製された浄化済廃水を収容する浄化済廃水収容タンクと、前記油分捕集手段により捕集された油分と前記浄化手段により取り除かれた油分とを廃油として収容する廃油収容タンクとを有することを特徴とする含油廃水処理船。
【請求項２】
前記浄化手段は、
前記含油廃水から前記浄化済廃水を精製するまでの流水路を形成する流水路形成手段と、前記原水収容タンクの下層部から前記流水路を介して取り出された含油廃水を、油分と含油水分とに分離する油水分離手段と、前記油水分離手段により分離された含油水分から残存する油分を低減し浄化済廃水を精製するフィルタリング手段とを有し、
前記油水分離手段により分離された油分は前記流水路を介して前記廃油収容タンクに収容され、前記フィルタリング手段により精製された浄化済廃水は前記流水路を介して前記浄化済廃水収容タンクに収容されることを特徴とする請求項１に記載された含油廃水処理船。
【請求項３】
前記浄化廃水収容タンクに収容された浄化済廃水の油分含有率を測定する油分検査手段を備え、
前記油分検査手段により測定された油分含有率が所定値内となる浄化済廃水は海上に放流されることを特徴とする請求項１または請求項２に記載された含油廃水処理船。
【請求項４】
前記油分検査手段により測定された油分含有率が所定値より高い浄化済廃水は、前記フィルタリング手段によりさらに油分が低減されて前記浄化廃水収容タンクに収容され、前記油分検査手段により再測定された油分含有率が所定値内であれば海上に放流されることを特徴とする請求項３に記載された含油廃水処理船。
【請求項５】
前記原水収容タンクは、前記船体の略中央部に配置され、
前記廃油収容タンクは、前記原水収容タンクの略中央部に配置されることを特徴とする請求項１乃至請求項４のいずれかに記載された含油廃水処理船。
【発明の詳細な説明】
【技術分野】
【０００１】
本発明は、船舶や海上から含油廃水を回収し浄化処理する含油廃水処理船に関する。
【背景技術】
【０００２】
船舶の船底には、エンジン等からの油を含有したビルジ水、水バラスト（錘）、タンク洗浄水等が含油廃水として溜まる。従来、この含油廃水は回収後、陸上の廃油処理施設まで移送され、そこで油水分離処理が行われている。
しかしながら、このように陸上に設置された処理施設まで含油廃水を移送するのは、作業に掛かるコストと時間とを多大に要するため効率的ではなかった。
【０００３】
このような問題に対し、特許文献１（特許第３４２８８９８号公報）には、船舶内に設置され、その船舶の船底に溜まる含油廃水（油含有ビルジ水）の油分と水分とを分離して回収する船舶ビルジ用浮遊油回収装置が開示されている。この浮遊油回収装置によれば、船舶内のビルジタンク等に溜まった含油廃水の水面に浮遊する浮遊油を、ビルジポンプによって吸引して油水分離槽に収容し、ここで油分と水分とに分離し、油分は廃油タンクに収容し、水分は船舶内のビルジタンク等に帰還するようになされる。
【特許文献１】特許第３４２８８９８号公報
【発明の開示】
【発明が解決しようとする課題】
【０００４】
特許文献１に開示された浮遊油回収装置によれば、含油廃水を生じる船舶内にその装置を設置することにより、含油廃水に浮遊する油分を取り除くことができ、ビルジ廃油処理のメンテナンスが容易となる。
しかしながら、そのような浮遊油回収装置は一般には未だ普及しておらず、殆どの船舶においては、前記したように含油廃水は地上の処理施設まで移送回収後、その処理施設において廃油水分離処理が行われている。
【０００５】
また、船舶の座礁、沈没等の海難事故により船舶から海上に流出した多量の燃料油、積荷油等に対しては、特許文献１に示される浮遊油回収装置程度の処理能力では対処できず、回収船による油水回収後、地上における処理施設において廃油水分離処理が行われている。
即ち、現況にあっては、殆どの船舶での含油廃水や、海難事故等により海上に流出した油に対しては、油回収船等による回収後、その油水分離処理等は地上の廃油処理施設で行われており、その結果、作業に掛かるコストと時間とを多大に要し、効率的な含油廃水処理環境が提供されているとは云えない。
【０００６】
本発明は、前記したような事情の下になされたものであり、他の船舶内で生じた含油廃水や海上に流出した含油廃水を現場にて回収し、直ちに油水分離処理を行うことにより、作業に掛かるコストと時間を低減し、効率的な含油廃水処理を行うことのできる含油廃水処理船を提供することを目的とする。
【課題を解決するための手段】
【０００７】
前記した課題を解決するために、本発明に係る含油廃水処理船は、船舶で生じた含油廃水または海上に流出した含油廃水を回収し浄化処理する含油廃水処理船であって、曳航または自走により航行可能に形成された船体と、前記船体の上部及び内部に設けられた廃油処理機構とを備え、前記廃油処理機構は、前記船舶または海上から前記含油廃水を回収する回収手段と、前記回収手段により回収された含油廃水を収容する原水収容タンクと、前記原水収容タンクに収容された含油廃水のうち、自然分離浮上した上層部の油分を捕集する油分捕集手段と、前記原水収容タンクに収容された含油廃水のうち、下層部の含油廃水を取り出して油分を取り除き、浄化済廃水を精製する浄化手段と、前記浄化手段により精製された浄化済廃水を収容する浄化済廃水収容タンクと、前記油分捕集手段により捕集された油分と前記浄化手段により取り除かれた油分とを廃油として収容する廃油収容タンクとを有することに特徴を有する。
【０００８】
このように、曳航または自走により航行可能な船体の上部及び内部に廃油処理機構を備えているため、他の船舶で生じた含油廃水や海難事故等により海上に流出した含油水を回収し、その場で油水分離処理を行い、処理廃水を浄化し、浄化済廃水として海上に還元することができる。
即ち、従来は、一旦、回収船等により含油廃水を回収し陸上の廃油処理施設で処理を行っていた作業を回収現場で行うことができるため、掛かるコストや作業時間が低減され、効率的な含油廃水処理を行うことができる。
また、海上で作業を行うため、既存する陸上の廃油処理施設に比べ、廃水を運搬するための作業車両の作業エリア等の土地確保が不要であり、小さい設置面積で廃油処理機構を形成することができる。これにより、廃油処理機構の設置に要するコストの面でも低減することができる。
【０００９】
また、前記浄化手段は、前記含油廃水から前記浄化済廃水を精製するまでの流水路を形成する流水路形成手段と、前記原水収容タンクの下層部から前記流水路を介して取り出された含油廃水を、油分と含油水分とに分離する油水分離手段と、前記油水分離手段により分離された含油水分から残存する油分を低減し浄化済廃水を精製するフィルタリング手段とを有し、前記油水分離手段により分離された油分は前記流水路を介して前記廃油収容タンクに収容され、前記フィルタリング手段により精製された浄化済廃水は前記流水路を介して前記浄化済廃水収容タンクに収容されることが望ましい。
このように自然分離による油分と水分の分離方法に加え、機械的に含油廃水を浄化する手段を備えることにより、廃水中の油分を殆ど取り除くことができ、浄化した浄化済廃水を、その場で海に還元することができる。
【００１０】
また、前記浄化廃水収容タンクに収容された浄化済廃水の油分含有率を測定する油分検査手段を備え、前記油分検査手段により測定された油分含有率が所定値内となる浄化済廃水は海上に放流されることが望ましい。
このように構成すれば、浄化した廃水が海に還元できるものかどうか、その場で判別することができる。
【００１１】
また、前記油分検査手段により測定された油分含有率が所定値より高い浄化済廃水は、前記フィルタリング手段によりさらに油分が低減されて前記浄化廃水収容タンクに収容され、前記油分検査手段により再測定された油分含有率が所定値内であれば海上に放流されることが望ましい。
このように構成すれば、廃水を海に還元できる状態にするまで浄化処理することができる。
【００１２】
また、前記原水収容タンクは、前記船体の略中央部に配置され、前記廃油収容タンクは、前記原水収容タンクの略中央部に配置されることが望ましい。
このように回収された含油廃水が先ず収容され、高重量となる原水収容タンクを船体の中央部に配置し、さらにスラッジやゴミを含むことで高重量となる廃油を収容する廃油収容タンクを原水収容タンクの中央部に配置することにより、廃油処理の経過に拘らず、船体の重心バランスを保つことができる。
【発明の効果】
【００１３】
本発明によれば、他の船舶内で生じた含油廃水や海上に流出した含油廃水を現場にて回収し、直ちに油水分離処理を行うことにより、作業に掛かるコストと時間を低減し、効率的な含油廃水処理を行うことのできる含油廃水処理船を得ることができる。
【発明を実施するための最良の形態】
【００１４】
以下、本発明の実施の形態を図面に基づき説明する。図１は本発明に係る含油廃水処理船の全体を示す側面図、図２は図１の含油廃水処理船が具備する廃油処理機構の全体構成を示す透視斜視図である。
【００１５】
図１に示す含油廃水処理船１００は、他の自走式船による曳航により、又は、自走することにより航行可能に形成された平底の船体１を具備し、この船体１には指令室となるキャビン２が設けられている。そして、含油廃水処理船１００は他の船舶や海上から含油廃水を回収し、油水分離処理を行う廃油処理機構１０を備え、この廃油処理機構１０は、船体１の上部及び内部の容積の殆どを占めている。即ち、この含油廃水処理船１００は廃油処理を専門に行う船であり、多量の含油廃水であっても、それを回収し油水分離処理等ができるようになされている。
【００１６】
廃油処理機構１０は、図２に示すように複数の処理タンクを備える。先ず、廃油処理機構１０の中央、即ち船体１の略中央に相当する位置に、他の船舶や海上から回収された含油廃水（原水）を収容するための原水収容タンク１１が設けられる。そしてさらに、この原水収容タンク１１の中央部には、回収された含油廃水から取り除かれた油分からなる廃油や、スラッジ、ゴミ等を収容する廃油収容タンク１２が設けられる。
即ち、回収された含油廃水が先ず収容され、高重量となる原水収容タンク１１を船体の中央部に配置し、さらにスラッジやゴミを含むことで高重量となる廃油を収容する廃油収容タンク１２を原水収容タンク１１の中央部に配置することにより、廃油処理の経過に拘らず、船体の重心バランスを保つことができるように構成されている。
【００１７】
また、原水収容タンク１１よりも船首側には、後述のフィルタリング処理等により油分が低減された処理廃水（含油水分）を収容する処理タンク１４、１５と、油分が略取り除かれた状態の浄化済廃水を収容する浄化済廃水収容タンク１６とが隣接されている。また、原水収容タンク１１よりも船尾側には、予備タンク１７、１８、１９が順に隣接されている。尚、予備タンク１７、１８、１９は、多目的に利用することができるが、例えば、夫々の予備タンクを処理タンク１４、１５及び浄化済処理タンク１６のいずれかと同様の用途に用い、浄化処理能力を向上させることもできる。
【００１８】
また、廃油処理機構１０は、他の船舶２００等から含油廃水を回収するためのパイプや図示しないポンプ等からなる回収ライン（回収手段）２０を備え、この回収ライン２０は他の船舶２００と、原水収容タンク１１との間を接続する。また、回収ライン２０には、流量計２１が設けられ、原水収容タンク１１内に回収される廃水量が監視できるようになされている。
【００１９】
また、この廃油処理機構１０は、原水収容タンク１１に収容される含油原水の水面付近（上層部）に浮遊する油分を捕集するスキマー装置（油分捕集手段）３６を備える。このスキマー装置３６と廃油収容タンク１２との間には、パイプ３７が設けられる。これにより、原水収容タンク１１内で上層部に自然分離浮上した油分がスキマー装置３６により捕集され、廃油収容タンク１２へ送出されるようになされている。
【００２０】
また、廃油処理機構１０は、原水収容タンク１１に収容される含油廃水のうち、下層部から含油廃水を取り出し、その油分を機械的手段により取り除いて浄化済廃水を精製する浄化手段を有している。この浄化手段としては、先ず油水分離器（油水分離手段）２２を備え、この油水分離器２２と原水収容タンク１１との間にパイプ２３が設けられている。尚、パイプ２３の原水収容タンク１１側の端部は、タンク底部付近に設置されている。
即ち、原水収容タンク１１内の含油廃水のうち、下層部の含油廃水がパイプ２３により油水分離器２２に送出され、油分と含油水分（処理廃水）とに分離されるようになされている。また、油分分離器２２と廃油収容タンク１２との間には、パイプ２４が設けられ、油分分離器２２で分離された油分が、パイプ２４を介して廃油収容タンク１２に回収されるようになされている。
【００２１】
また、この廃油処理機構１０は、前記洗浄手段として、複数のフィルタからなるフィルタリング手段を備える。このフィルタリング手段としては先ず、油分分離器２２で概ね油分と分離された処理廃水（含油水分）からさらに油分を取り除くためのフィルタボックス２５を備える。油分分離器２２とフィルタボックス２５との間には、油分分離器２２からフィルタボックス２５に処理廃水を送出するためのパイプ２６が設けられている。また、フィルタボックス２５と処理タンク１３との間にはパイプ２７が設けられ、フィルタボックス２５で油分がさらに取り除かれた処理廃水（含油水分）がパイプ２７を介して処理タンク１４に収容されるようになっている。
【００２２】
尚、処理タンク１４に収容される処理廃水の水面付近（上層部）にはスキマー装置３８が設けられる。このスキマー装置３８と廃油収容タンク１２との間には、パイプ３９が設けられる。これにより、処理タンク１４内で上層部に自然分離浮上した油分がスキマー装置３８により捕集され、廃油収容タンク１２へ送出されるように構成されている。
【００２３】
また、廃油処理機構１０は、前記フィルタリング手段としてサンドフィルタ２９を備える。そして、このサンドフィルタ２９と処理タンク１４との間には、処理タンク１４からサンドフィルタ２９に処理廃水を送出するためのパイプ３０が設けられている。即ち、処理タンク１４内の処理廃水がパイプ３０を介してサンドフィルタ２９に送出され、そこでさらに処理廃水中の油分が低減されるようになされている。また、サンドフィルタ２９から処理タンク１５に処理廃水を送出するためのパイプ３１が設けられ、サンドフィルタ２９により油分が低減された後の処理廃水が処理タンク１５に収容されるようになされている。
【００２４】
また、この廃油処理機構１０は、前記フィルタリング手段として取換えが容易なカートリッジフィルタ３２をさらに備える。そして、処理タンク１５とカートリッジフィルタ３２との間には、処理タンク１５からカートリッジフィルタ３２に含油廃水を送出するためのパイプ３３が設けられている。
処理タンク１５内の処理廃水はパイプ３３を介してカートリッジフィルタ３２に送出され、そこで殆どの残留油分が取り除かれ、浄化済廃水が精製されるようになされている。カートリッジフィルタ３２で浄化された浄化済廃水は、パイプ３４を介して浄化済廃水収容タンク１６に収容されるようになされている。
また、浄化済廃水収容タンク１６には、海上に向けタンク内の浄化済廃水を海上に放流できるように排出ライン３５が設けられている。
【００２５】
尚、浄化済廃水収容タンク１６には、収容する浄化済廃水が含有する油分の濃度（油分含有率）を測定する油検出器（油分検査手段）５０が設けられる。即ち、浄化した廃水が海に還元できるものかどうか、その場で判断できるようになされている。そして、この油検出器５０において浄化済廃水収容タンク１６内の浄化済廃水の含有油分が所定値内となる場合には、排出ライン３５から海上に浄化済廃水が放流される。
一方、油分濃度が所定値（基準値）より高くなった場合には、さらにフィルタリング手段としての粒状活性炭カートリッジフィルタ５１により油分を除去し、さらに浄化された海水を浄化済廃水収容タンク１６に再収容後、前記所定値内の油分濃度になされた後に海上に放流される。
【００２６】
また、廃油収容タンク１２に回収された廃油のうち、タンク底部に溜まったスラッジやゴミは回収ライン４０を介して陸上のタンクローリー２０１等に送出され、その他の廃油は回収ライン４１を介して陸上の他のタンクローリー２０２等に送出されるように構成されている。尚、回収ライン４０、４１は夫々、図示しないポンプ等を備え、そのポンプにより廃油が送出される。
【００２７】
尚、前記したパイプ２３、２４、２６、２７、３０、３１、３３、３４と、それらパイプを通じて処理廃水を送出させるための図示しないポンプ等により流水路形成手段が構成されている。
【００２８】
続いて、このように構成された廃油処理機構１０を備えた含油廃水処理船１００が、例えば他の船舶２００から含油廃水を回収し処理する場合の工程について図３、図４に基づいて説明する。
図３は、廃油処理機構１０における廃油処理工程を説明するため、その構造をより模式的に示した図である。図４は、廃油処理機構１０における処理工程の流れを示すフロー図である。
【００２９】
先ず、含油廃水処理船１００は、回収ライン２０を介して船舶２００から含油廃水を回収し、原水収容タンク１１に収容する（図４のステップＳ１）。
ここで、原水収容タンク１１に収容された含油廃水（原水）のうち、上層部に自然分離浮上した油分はスキマー装置３６により捕集され、廃油収容タンク１２に回収される（図４のステップＳ２）。
【００３０】
また、原水収容タンク１１に収容された含油廃水のうち、下層部の含油廃水は、パイプ２３を介して油水分離器２２に送出され、油分と含油水分（処理廃水）とに分離される（図４のステップＳ３）。
そして、油水分離器２２により分離された油分は、廃油収容タンク１２に収容され、一方、前記油分が分離された処理廃水（含油水分）は、フィルタボックス２５により廃水内に残存する油分が低減される（図４のステップＳ４）。
フィルタボックス２５により油分が低減された処理廃水は、先ず処理タンク１４に収容される。そして、処理タンク１４に収容された処理廃水に対し、残存する油分をさらに低減するため、サンドフィルタ２９によるフィルタリング処理がなされる（図４のステップＳ５）。
【００３１】
サンドフィルタ２９によりさらに油分が低減された処理廃水は、処理タンク１５に収容された後、さらにカートリッジフィルタ３２によるフィルタリング処理がなされ、そこで殆どの油分が除去される（図４のステップＳ６）。
そして、カートリッジフィルタ３２によりフィルタリング処理された廃水は、浄化済廃水として浄化済廃水収容タンク１６に収容され、そこで油検出器５０により水質検査が行われる（図４のステップＳ７）。
【００３２】
この検査の結果、浄化済廃水の油分濃度（油分含有率）が所定値（基準値）内であれば（図４のステップＳ８）、その浄化済廃水は海上に放流される（図４のステップＳ９）。
一方、油分濃度が所定値より高ければ、再度、所定値内の油分濃度となるまで、粒状活性炭カートリッジフィルタ５１によりフィルタリング処理がなされ、所定値内の油分濃度となった場合に、その浄化済廃水は海上に放流される（図４のステップＳ６）。
尚、廃油収容タンク１２内に回収された廃油のうち、タンク底部に溜まったスラッジやゴミは、回収ライン４０を介して陸上のタンクローリー２０１等に送出され、その他の廃油は回収ライン４１を介して陸上の他のタンクローリー２０２等に送出される。
【００３３】
以上のように本実施の形態によれば、航行可能な船体の上部及び内部に、多量の含油廃水を処理可能な廃油処理機構を備えているため、他の船舶で生じた含油廃水や海難事故等により海上に流出した含油水を回収し、その場で油水分離処理を行い、処理廃水を浄化し、浄化済廃水として海上に還元することができる。
即ち、従来は、一旦、回収船等により含油廃水を回収し陸上の廃油処理施設で処理を行っていた作業を回収現場で行うことができるため、掛かるコストや作業時間が低減され、効率的な含油廃水処理を行うことができる。
また、海上で移動作業を行うため、既存する陸上の廃油処理施設に比べ、廃水を運搬するための作業車両の作業エリア等の土地確保が不要であり、小さい設置面積で廃油処理機構を形成することができる。これにより、廃油処理機構の設置に要するコストの面でも低減することができる。
【００３４】
尚、前記実施の形態においては、他の船舶や海上から含油廃水を回収する回収手段としてパイプや図示しないポンプ等からなる回収ライン２０により、船舶等から直接、含油廃水を回収する例を図示等により示したが、他の回収手段として、図示しない自走式回収船を用いて含油廃水を回収し、含油廃水処理船１００に持ち込むようにしてもよい。
【産業上の利用可能性】
【００３５】
本発明は、他の船舶で生じた含油廃水や、海難事故等により海上に流出した含油廃水を回収し、浄化処理する含油廃水処理船に関し、産業廃棄物処理業界において好適に用いることができる。
【図面の簡単な説明】
【００３６】
【図１】図１は、本発明に係る含油廃水処理船の全体を示す側面図である。
【図２】図２は、図１の含油廃水処理船が具備する廃油処理機構の全体構成を示す透視斜視図である。
【図３】図３は、廃油処理機構における廃油処理工程を説明するため、その構造をより模式的に示した図である。
【図４】図４は、廃油処理機構における処理工程の流れを示すフロー図である。
【符号の説明】
【００３７】
１                船体（指令室）
１０              廃油処理機構
１１              原水収容タンク
１２              廃油収容タンク
１４、１５        処理タンク
１６              浄化済廃水収容タンク
１７、１８、１９  予備タンク
２０              回収ライン（回収手段）
２１              流量計
２２              油水分離器（油水分離手段）
２３、２４        パイプ（流路形成手段）
２５              フィルタボックス（フィルタリング手段）
２６、２７        パイプ（流路形成手段）
２９              サンドフィルタ（フィルタリング手段）
３０、３１        パイプ（流路形成手段）
３２              カートリッジフィルタ（フィルタリング手段）
３３、３４        パイプ（流路形成手段）
３５              排出ライン
３６              スキマー装置（油分捕集手段）
３７              パイプ（油分捕集手段）
３８              スキマー装置
５０              油検出器（油分検査手段）
５１              粒状活性炭カートリッジフィルタ（特殊油分捕集手段）
１００            含油廃水処理船
【図１】
2007084010.tif 000003
【図２】
2007084010.tif 000004
【図３】
2007084010.tif 000005
【図４】
2007084010.tif 000006
【手続補正書】
【提出日】平成17年10月6日(2005.10.6)
【手続補正１】
【補正対象書類名】明細書
【補正対象項目名】００３２
【補正方法】変更
【補正の内容】
【００３２】
この検査の結果、浄化済廃水の油分濃度（油分含有率）が所定値（基準値）内であれば（図４のステップＳ８）、その浄化済廃水は海上に放流される（図４のステップＳ９）。
一方、油分濃度が所定値より高ければ（図４のステップＳ８）、粒状活性炭カートリッジフィルタ５１により更にフィルタリング処理がなされ（図４のステップＳ１０）、所定値内の油分濃度となった場合に（図４のステップＳ８）、その浄化済廃水は海上に放流される（図４のステップＳ９）。
尚、廃油収容タンク１２内に回収された廃油のうち、タンク底部に溜まったスラッジやゴミは、回収ライン４０を介して陸上のタンクローリー２０１等に送出され、その他の廃油は回収ライン４１を介して陸上の他のタンクローリー２０２等に送出される。
【手続補正２】
【補正対象書類名】明細書
【補正対象項目名】００３７
【補正方法】変更
【補正の内容】
【００３７】
１                船体
２                キャビン（指令室）
１０              廃油処理機構
１１              原水収容タンク
１２              廃油収容タンク
１４、１５        処理タンク
１６              浄化済廃水収容タンク
１７、１８、１９  予備タンク
２０              回収ライン（回収手段）
２２              油水分離器（油水分離手段）
２３、２４        パイプ（流路形成手段）
２５              フィルタボックス（フィルタリング手段）
２６、２７        パイプ（流路形成手段）
２９              サンドフィルタ（フィルタリング手段）
３０、３１        パイプ（流路形成手段）
３２              カートリッジフィルタ（フィルタリング手段）
３３、３４        パイプ（流路形成手段）
３５              排出ライン
３６              スキマー装置（油分捕集手段）
３７              パイプ（油分捕集手段）
３８              スキマー装置
５０              油検出器（油分検査手段）
５１              粒状活性炭カートリッジフィルタ（特殊油分捕集手段）
１００            含油廃水処理船
【手続補正３】
【補正対象書類名】図面
【補正対象項目名】図２
【補正方法】変更
【補正の内容】
【図２】
2007084010.tif 000007
【手続補正４】
【補正対象書類名】図面
【補正対象項目名】図３
【補正方法】変更
【補正の内容】
【図３】
2007084010.tif 000008
【手続補正５】
【補正対象書類名】図面
【補正対象項目名】図４
【補正方法】変更
【補正の内容】
【図４】
2007084010.tif 000009